(57)【特許請求の範囲】
【請求項１】
背景画像にアイコンを重畳させたディスプレイの操作画面を制御する表示制御装置であって、
前記操作画面に前記アイコンを表示させ、かつ、車両内部の一部の領域を前記操作画面の前記背景画像として表示させる表示制御部と、
前記アイコンの操作を介してユーザーから操作対象とする機器の選択を受け付ける受け付け部と、を備え、
前記表示制御部は、前記受け付け部によって前記操作対象とする機器として第１機器の選択が受け付けられた場合、前記背景画像として表示させる車両内部の一部の領域が、当該第１機器の選択が受け付けられたときの位置から当該第１機器の設置位置の方向へ移動するように、前記背景画像を変化させて表示させる、
表示制御装置。
【請求項２】
車両が備える機器について、当該機器の設置位置を表した設置位置情報を記憶する記憶部をさらに備え、
前記表示制御部は、前記受け付け部によって前記第１機器の選択が受け付けられた場合、前記記憶部に記憶された前記設置位置情報に基づいて前記第１機器の設置位置を特定し、前記特定した設置位置に基づいて前記背景画像を変化させるか否かを判断する、
請求項１に記載の表示制御装置。
【請求項３】
前記設置位置情報は、前記車両が備える機器の設置位置が、車両内部空間における第１位置を基準として少なくとも上側、下側、及び前側を含む複数の位置によって表され、
前記表示制御部は、前記受け付け部によって選択が受け付けられた前記第１機器の設置位置が前側位置であると特定した場合、前記背景画像を変化させない、
請求項２に記載の表示制御装置。
【請求項４】
前記表示制御部は、前記背景画像として表示させる車両内部の一部の領域が、前記第１機器の選択が受け付けられたときの位置から前記第１機器の設置位置の方向へ徐々に移動するように、前記背景画像を変化させて表示させ、かつ、移動前に前記背景画像として表示される車両内部の領域と移動後に前記背景画像として表示される車両内部の領域とが一部重複している、
請求項１乃至３のいずれか１項に記載の表示制御装置。
【請求項５】
背景画像にアイコンを重畳させたディスプレイの操作画面を制御する表示制御装置のコンピューターが実行する制御方法であって、
前記操作画面に前記アイコンを表示させ、かつ、車両内部の一部の領域を前記操作画面の前記背景画像として表示させるステップと、
前記アイコンの操作を介してユーザーから操作対象とする機器の選択を受け付けるステップと、
前記操作対象とする機器として第１機器の選択が受け付けられた場合、前記背景画像として表示させる車両内部の一部の領域が、当該第１機器の選択が受け付けられたときの位置から当該第１機器の設置位置の方向へ移動するように、前記背景画像を変化させて表示させるステップと、を含む、
制御方法。
【請求項６】
背景画像にアイコンを重畳させたディスプレイの操作画面を制御する表示制御装置のコンピューターに実行させる制御プログラムであって、
前記操作画面に前記アイコンを表示させ、かつ、車両内部の一部の領域を前記操作画面の前記背景画像として表示させるステップと、
前記アイコンの操作を介してユーザーから操作対象とする機器の選択を受け付けるステップと、
前記操作対象とする機器として第１機器の選択が受け付けられた場合、前記背景画像として表示させる車両内部の一部の領域が、当該第１機器の選択が受け付けられたときの位置から当該第１機器の設置位置の方向へ移動するように、前記背景画像を変化させて表示させるステップと、を含む、
制御プログラム。
【発明の詳細な説明】
【技術分野】
【０００１】
本発明は、車両に搭載される表示制御装置に関する。
【背景技術】
【０００２】
例えば、特許文献１に、ディスプレイ画面へ操作者の手が接近したことをセンサーで検知して予め定められた次画面にディスプレイの表示を自動的に切り替えることができる表示制御装置が、開示されている。
【先行技術文献】
【特許文献】
【０００３】
【特許文献１】特開２００９−２１６８８８号公報
【発明の概要】
【発明が解決しようとする課題】
【０００４】
上記特許文献１に記載された表示制御装置では、ユーザーによって選択可能な複数の機器が操作画面に表示されるが、操作対象とする機器が選択された場合にその機器が車両のどの場所にあるかをユーザーが直感的に把握することが難しい。
【０００５】
本発明は、上記課題を鑑みてなされたものであり、ユーザーによって選択された操作対象の機器が車両のどの場所にある機器なのかを視覚的に表示することで、ユーザーが機器のある場所を直感的に把握することができる、表示制御装置を提供することを目的とする。
【課題を解決するための手段】
【０００６】
上記課題を解決するために、本発明の一態様は、背景画像にアイコンを重畳させたディスプレイの操作画面を制御する表示制御装置であって、操作対象とする機器の選択を受け付ける受け付け部と、操作画面にアイコンを表示させ、かつ、車両内部の一部の領域を操作画面の背景画像として表示させる表示制御部と、を備え、表示制御部は、受け付け部によって所定の位置に設置された機器が選択された場合、背景画像として表示させる車両内部の一部の領域が、選択が受け付けられたときの位置から機器の設置位置の方向へ徐々に移動するように、背景画像を変化させて表示させる、ことを特徴とする。
【０００７】
上記一態様では、車両が備える機器のうち、所定の位置に設置された機器が選択された場合、ディスプレイに背景画像として表示させる車両内部の一部の領域が、その選択があった時点における位置から機器の設置位置の方向へ徐々に移動するように、背景画像を変化させて表示させることで、操作画面の切り替えを実行する。
【０００８】
この制御によって、背景画像が変化する様子を視覚的に確認することで、選択された機器が車両のどのあたりに設置されている機器なのかを、ユーザーは直感的に把握することができる。また、機器の設置位置を把握することで、ユーザーによる機器の誤操作を抑制することができる。
【発明の効果】
【０００９】
上記本発明の表示制御装置によれば、ユーザーによって選択された操作対象の機器が車両のどの場所にある機器なのかを視覚的に表示することで、ユーザーが機器のある場所を直感的に把握することができる。
【図面の簡単な説明】
【００１０】
【図１】本発明の一実施形態に係る表示制御装置の構成例を示す概略図
【図２】表示制御装置が実行する操作画面の表示制御を説明するフローチャート
【図３】ディスプレイに表示される操作画面の背景画像及びアイコンの一例を示す図
【図４Ａ】背景画像の表示手法の一例を説明する図
【図４Ｂ】背景画像の表示手法の一例を説明する図
【発明を実施するための形態】
【００１１】
［概要］
本発明は、背景画像にアイコンを重畳させたディスプレイの操作画面を制御する表示制御装置である。この表示制御装置は、車両が備える特定機器が選択された場合、特定機器の設置場所が大まかに分かるようにディスプレイに表示させる背景画像を徐々に移動させて遷移させる。これにより、特定機器が車両のどのあたりに存在しているのかを、ユーザーが直感的に把握することができる。
【００１２】
［構成］
図１は、本発明の一実施形態に係る表示制御装置１の構成例を示す概略図である。図１に示した本実施形態に係る表示制御装置１は、受け付け部１０と、記憶部２０と、表示制御部３０と、ディスプレイ４０と、を備えている。
【００１３】
受け付け部１０は、車両のユーザーによって入力された所定の指示を受け付けることができる。所定の指示には、車両が備える機器を選択するための指示や、車両が備える機器に所定の動作を実行させるための指示など、が含まれる。ユーザーの指示は、ディスプレイ４０の操作画面に表示されたアイコンを直接タッチすることで行われてもよいし、十字キーボタンなどの入力装置（図示せず）によって同アイコンが選択されることで行われてもよい。所定の指示が受け付けられたことは、表示制御部３０へ通知される。
【００１４】
記憶部２０は、車両が備える機器について、車両におけるその機器の大凡の設置位置を予め記憶している。この設置位置とは、典型的には、車両内部空間のほぼ中央（例えば、車両の上下左右前後方向における中央）を基準として、当該基準から見たときに該当機器がどの方向に設置されているかを表した情報である。
【００１５】
例えば、車両が備える機器がシェードやランプであれば、取り付け場所であるルーフが基準よりも上側にあるので、これらの機器に関しては「上側位置」という設置位置が記憶される。また、車両が備える機器がエアコンやシートヒーターであれば、エアコンの吹き出し口やシート座面が基準よりも下側にあるので、これらの機器に関しては「下側位置」という設置位置が記憶される。また、車両が備える機器がオーディオであれば、搭載されているダッシュボードが基準よりも前側にあるので、これらの機器に関しては「前側位置」という設置位置が記憶される。なお、設置位置はこれらに限られるものではなく、例えば左右上下の斜め方向を設定しても構わない。
【００１６】
表示制御部３０は、受け付け部１０で受け付けられた指示及び記憶部２０に記憶された車両が備える機器の設置位置に基づいて、ディスプレイ４０に表示させる操作画面の切り替えを制御することができる。この操作画面は、操作可能な機器に対応して予め複数用意されており、各操作画面については、車両後方から前方を見たときの車両内部の空間における一部の領域が表示された背景画像、及びこの背景画像に重畳させて表示させる少なくとも１つ以上のアイコンが、それぞれ予め定義されている。すなわち、表示制御部３０は、操作画面にアイコンを表示させ、車両内部の一部の領域を背景画像として表示させることができる。
【００１７】
また、この表示制御部３０は、ディスプレイ４０に表示させる操作画面を、第１操作画面から第２操作画面へ切り替える場合、第１操作画面で背景画像として表示させている車両内部の一部の領域を、所定の手法を用いて第２操作画面で背景画像として表示させるべき車両内部の一部の領域へ遷移させる。この背景画像を遷移させる所定の手法については、後述する。
【００１８】
ディスプレイ４０は、表示制御部３０の制御に基づいて、操作画面の背景画像及びアイコンの表示を実施することができる表示デバイスである。このディスプレイ４０は、例えば、ユーザーの指先など、人体の一部によるタッチ操作が可能なインターフェースとすることができる。
【００１９】
［制御］
次に、図２、図３、図４Ａ、及び図４Ｂを参照して、本発明の一実施形態に係る表示制御装置１が実行する制御を説明する。図２は、表示制御装置１が実行する操作画面の表示制御の処理手順を説明するフローチャートである。図３は、ディスプレイ４０に表示される操作画面の背景画像及びアイコンの一例を示す図である。図４Ａ及び図４Ｂは、背景画像として表示させるべき車両内部の一部の領域を遷移させる手法の一例を説明する図である。
【００２０】
図２に示す表示制御は、例えば、電源ＯＮなどによってディスプレイ４０に操作画面が表示されると開始され、電源ＯＦＦなどによってディスプレイ４０に操作画面が表示されなくなるまで繰り返し実行される。
【００２１】
ステップＳ２０１：ユーザーによって、操作対象とする車両が備える機器が選択されたか否かが判断される。具体的には、現在表示されている操作画面（以下「第１操作画面」という）において操作対象の機器が選択され、第１操作画面以外の操作画面（以下「第２操作画面」という）へ操作画面を切り替える必要が生じたか否かが判断される。図３の例では、第１操作画面が、車室内全体の機器に向けた操作が可能な（ａ）ホーム画面１１０に該当し、第２操作画面が、車室内下側の機器に向けて操作が可能な（ｂ）エアコン・シートヒーター画面１２０又は車室内上側の機器に向けて操作が可能な（ｃ）シェード・ランプ画面１３０に該当する。
【００２２】
操作対象の機器が選択された場合は（Ｓ２０１、Ｙｅｓ）、ステップＳ２０２に処理が進む。一方、操作対象の機器が選択されていない場合は（Ｓ２０１、Ｎｏ）、ステップＳ２０１の処理が繰り返される。
【００２３】
ステップＳ２０２：選択された操作対象の機器の設置位置が判断される。図２の例では、上述した基準に対して下側位置、上側位置、及び前側位置の３つが判断されるように設定されている。選択された操作対象の機器の設置位置が下側位置である場合は、所定の位置に設置された機器が選択されたと判断され、ステップＳ２０３に処理が進む。選択された操作対象の機器の設置位置が上側位置である場合は、所定の位置に設置された機器が選択されたと判断され、ステップＳ２０４に処理が進む。選択された操作対象の機器の設置位置が前側位置である場合は、所定の位置に設置された機器が選択されていないと判断され、ステップＳ２０５に処理が進む。
【００２４】
ステップＳ２０３：ディスプレイ４０に現在表示されている第１操作画面を第２操作画面に切り替える。より具体的には、背景画像として表示させている車両内部の一部の領域が、切り替え元の第１操作画面で背景画像として表示している位置から、切り替え先の第２操作画面で操作可能な機器の設置位置、つまり下側位置の方向へ徐々に移動するように、背景画像を変化させて表示させることで、操作画面の切り替え（画面遷移）がアニメーション的に行われる。
【００２５】
例えば、図３に例示するホーム画面１１０において操作対象の機器としてシートヒーターが選択された場合、ホーム画面１１０の背景画像として表示させている車両内部２００の領域２１０を、エアコン及びシートヒーターが設置されている下側位置の方向へ、エアコン・シートヒーター画面１２０の背景画像として表示させる車両内部２００の領域２２０まで、徐々に移動させる（図４Ａを参照）。なお、第１操作画面の背景画像として表示させる車両内部２００の領域２１０と、第２操作画面の背景画像として表示させる車両内部２００の領域２２０とは、一部重複していていることが好ましい。一部重複していていることで、操作画面の切り替え前後での背景画像の乖離を軽減できると共に、意匠性も確保できる。
【００２６】
背景画像として表示させる車両内部２００の領域の移動が完了して第１操作画面から第２操作画面に切り替えられると、ステップＳ２０１に処理が戻る。
【００２７】
ステップＳ２０４：ディスプレイ４０に現在表示されている第１操作画面を第２操作画面に切り替える。より具体的には、背景画像として表示させている車両内部の一部の領域が、切り替え元の第１操作画面で背景画像として表示している位置から、切り替え先の第２操作画面で操作可能な機器の設置位置、つまり上側位置の方向へ徐々に移動するように、背景画像を変化させて表示させることで、操作画面の切り替え（画面遷移）がアニメーション的に行われる。
【００２８】
例えば、図３に例示するホーム画面１１０において操作対象の機器としてランプが選択された場合、ホーム画面１１０の背景画像として表示させている車両内部２００の領域２１０を、シェード及びランプが設置されている上側位置の方向へ、シェード・ランプ画面１３０の背景画像として表示させる車両内部２００の領域２３０まで、徐々に移動させる（図４Ｂを参照）。なお、第１操作画面の背景画像として表示させる車両内部２００の領域２１０と、第２操作画面の背景画像として表示させる車両内部２００の領域２３０とは、一部重複していていることが好ましい。一部重複していていることで、操作画面の切り替え前後での背景画像の乖離を軽減できると共に、意匠性も確保できる。
【００２９】
背景画像として表示させる車両内部２００の領域の移動が完了して第１操作画面から第２操作画面に切り替えられると、ステップＳ２０１に処理が戻る。
【００３０】
ステップＳ２０５：ディスプレイ４０に現在表示されている背景画像として表示させる車両内部２００の領域を移動させることなくそのままの表示で、第１操作画面から第２操作画面に切り替えられる。操作画面の切り替えが完了すると、ステップＳ２０１に処理が戻る。
【００３１】
本願明細書におけるディスプレイ４０は、例えば、シートの背もたれ部に収納可能な後部座席のアームレスト部に備えられる。ユーザーは、ディスプレイ４０を操作したい場合に、背もたれ部からアームレスト部を引き出し、ディスプレイ４０を操作することができる。
【００３２】
［作用・効果］
以上のように、本発明の一実施形態に係る表示制御装置１によれば、車両が備える機器のうち、少なくとも上側位置又は下側位置に設置された機器が選択された場合、ディスプレイ４０に背景画像として表示させる車両内部２００の一部の領域が、その選択があった時点における位置から機器の設置位置の方向へ徐々に移動するように、背景画像を変化させて表示させることで、操作画面の切り替え（画面遷移）を実行する。
【００３３】
この制御によって、背景画像が変化する様子を視覚的に確認することで、選択された機器が車両のどのあたりに設置されている機器なのかを、ユーザーは直感的に把握することができる。また、機器の設置位置を把握することで、ユーザーによる機器の誤操作を抑制することができる。
以上、本発明の一実施形態を説明したが、本発明は、表示制御装置、プロセッサとメモリとを備えた表示制御装置が実行する表示制御方法、表示制御方法を実行するための表示制御プログラム、表示制御プログラムを記憶したコンピューター読み取り可能な非一時的記憶媒体、及び表示制御装置を搭載した車両として捉えることが可能である。
【産業上の利用可能性】
【００３４】
本発明の表示制御装置は、車両が備える機器の操作画面をディスプレイに表示させるシステムなどに利用可能である。
【符号の説明】
【００３５】
１    表示制御装置
１０  受け付け部
２０  記憶部
３０  表示制御部
４０  ディスプレイ
１１０  ホーム画面
１２０  エアコン・シートヒーター画面
１３０  シェード・ランプ画面
２００  車両内部
２１０、２２０、２３０  領域
【図１】
0006988336.tif 000002
【図２】
0006988336.tif 000003
【図３】
0006988336.tif 000004
【図４Ａ】
0006988336.tif 000005
【図４Ｂ】
0006988336.tif 000006